(57)【要約】  本発明のルアーは、内部に中空部２を有し且つ透光性材料から形成されたボディ３を有し、前記中空部２を形成するボディ内壁面が、第１面６１と、前記第１面６１に連設された第２面６２と、を有する多面体構造とされており、前記第１面６１又は前記第１面６１に対応するボディ外壁面に、第１着色部７１と、前記第１着色部７１の上に重ねられ且つ前記第１着色部７１とは異なる色彩の第２着色部７２と、を有する多層着色領域７が設けられている。  本発明のルアーは、見る方向によって色彩が変化する。
2012153385.tif 000002
【特許請求の範囲】
【請求項１】
内部に中空部を有し且つ透光性材料から形成されたボディを有し、
前記中空部を形成するボディ内壁面が、第１面と、前記第１面に連設された第２面と、を有する多面体構造とされており、
前記第１面又は前記第１面に対応するボディ外壁面に、第１着色部と、前記第１着色部の上に重ねられ且つ前記第１着色部とは異なる色彩の第２着色部と、を有する多層着色領域が設けられている、ルアー。
【請求項２】
前記ボディの中空部内には、長軸方向に延びる２つの空間に前記ボディの中空部を区画するように、コア部材が設けられており、
前記コア部材の少なくとも一方面が、光反射性を有する、請求項１に記載のルアー。
【請求項３】
前記コア部材の一方面が前記第１面に対して略直交状に配置されている、請求項２に記載のルアー。
【請求項４】
前記第１面が、前記ボディの上方に位置し、前記第２面が、前記ボディの側方に位置しており、
前記第２面が、前記第１面に対して鈍角を成して前記第１面に連設されている、請求項１〜３の何れか一項に記載のルアー。
【請求項５】
前記ボディの長軸方向における２つの箇所で、前記長軸に対して直交する平面にて前記ボディを切断したとき、前記１つの箇所で切断した前記ボディ内壁面の断面形状が、六角形であり、もう１つの箇所で切断した前記ボディ内壁面の断面形状が、八角形である、請求項１〜４の何れか一項に記載のルアー。
【請求項６】
前記ボディ内壁面の全部又は一部が、微細な凹凸状に形成されている、請求項１〜５の何れか一項に記載のルアー。
【発明の詳細な説明】
【技術分野】
【０００１】
本発明は、釣りに使用されるルアーに関する。
【背景技術】
【０００２】
ルアーは、小魚、エビなどに似せたボディと、このボディに取り付けられた釣り針と、を備えている。ルアーは、ラインに連結され、海中などに投入して使用される釣り具の１種である。かかるルアーを水中で遊泳させることによって、対象魚が、ルアーに対して興味を示し、本物の餌と見間違ってルアーを補食する。なお、本明細書に於いて「対象魚」とは、ルアーを用いた釣りの対象となるものを言い、イカやタコなども含まれる。【０００３】
従来、ルアーに対する対象魚の補食を良くするため、様々な色彩を施したルアーが提供されている。
例えば、ボディの外面に、複数条の長状突部が所定間隔をあけて並んで形成され、前記長状突部の一側面に、第１着色部が設けられ、且つ前記長状突部の他側面に、前記第１着色部と異なる色彩を施した第２着色部が設けられているルアー（擬似餌）が公知である（特許文献１）。
特許文献１に開示のルアーは、本体の外面に形成された複数条の長状突部の一側面に第１着色部が設けられ、且つ他側面に第２着色部が設けられている。このため、このルアーを一方向から見た場合、第１着色部の色彩のみが見え、他方、このルアーを他方向から見た場合には、反対に第２着色部の色彩のみが見える。このように上記ルアーは、見る方向によって色彩が変化するので、対象魚の補食性に優れている。【０００４】
しかしながら、上記従来のルアーは、複数の長状突部の一側面に所定の色彩を着色し、且つこの長状突部の他側面に異なる色彩を着色しなければならないので、それらの塗り分け加工が面倒である。
【先行技術文献】
【特許文献】
【０００５】
【特許文献１】特開２００６−５５０６２
【発明の概要】
【発明が解決しようとする課題】
【０００６】
本発明の目的は、比較的簡易に作製でき、見る方向によって色彩が変化するルアーを提供することである。
【課題を解決するための手段】
【０００７】
本発明のルアーは、内部に中空部を有し且つ透光性材料から形成されたボディを有し、前記中空部を形成するボディ内壁面が、第１面と、前記第１面に連設された第２面と、を有する多面体構造とされており、前記第１面又は前記第１面に対応するボディ外壁面に、第１着色部と、前記第１着色部の上に重ねられ且つ前記第１着色部とは異なる色彩の第２着色部と、を有する多層着色領域が設けられている。【０００８】
本発明の好ましいルアーは、前記ボディの中空部内には、長軸方向に延びる２つの空間に前記ボディの中空部を区画するように、コア部材が設けられており、前記コア部材の少なくとも一方面が、光反射性を有する。【０００９】
本発明の好ましいルアーは、前記コア部材の一方面が前記第１面に対して略直交状に配置されている。【００１０】
本発明の好ましいルアーは、前記第１面が、前記ボディの上方に位置し、前記第２面が、前記ボディの側方に位置しており、前記第２面が、前記第１面に対して鈍角を成して前記第１面に連設されている。【００１１】
本発明の好ましいルアーは、前記ボディの長軸方向における２つの箇所で、前記長軸に対して直交するように前記ボディを切断したとき、前記１つの箇所で切断した前記ボディ内壁面の断面形状が、六角形であり、もう１つの箇所で切断した前記ボディ内壁面の断面形状が、八角形である。【００１２】
本発明の好ましいルアーは、前記ボディ内壁面の全部又は一部が、微細な凹凸状に形成されている。
【発明の効果】
【００１３】
本発明のルアーは、見る方向によって色彩が変化する（色模様の変化も含まれる）。
本発明のルアーの構造によれば、比較的簡易に着色加工を行うことができる。よって、本発明によれば、比較的簡易に作製でき且つ製造コストの低いルアーを提供できる。
【図面の簡単な説明】
【００１４】
【図１】第１実施形態のルアーの正面図。
【図２】同ルアーの側面図。
【図３】図１のＩＩＩ−ＩＩＩ線断面図。このＩＩＩ−ＩＩＩ線で切断した断面図を、以下、縦断面図という。この縦端面図においては、本来、コア部材も断面として表れるが、図３においては、このコア部材の断面を省略している。
【図４】図３のＩＶ−ＩＶ線拡大断面図。
【図５】図３のＶ−Ｖ線拡大断面図。
【図６】同ルアーのボディを分解した斜視図。
【図７】（ａ）は、同ルアーを実際に作製した実施品を側面方向から撮影した写真図、（ｂ）は、同実施品を斜め下方から撮影した写真図、（ｃ）は、同実施品を斜め上方から撮影した写真図。
【図８】（ａ）乃至（ｃ）は、見る方向によって色彩が変化するメカニズムを説明するための参考断面図。
【図９】第２実施形態のルアーの縦断面図。図９においては、コア部材を省略している。
【図１０】図９のＸ−Ｘ線拡大断面図。
【図１１】第３実施形態のルアーの縦断面図。図１１においては、コア部材を省略している。
【図１２】図１１のＸＩＩ−ＸＩＩ線拡大断面図。
【図１３】第４実施形態のルアーの縦断面図。図１３においては、コア部材を省略している。
【図１４】第７実施形態のルアーの縦断面図。図１４においては、コア部材を省略している。
【図１５】第８実施形態のルアーの縦断面図。図１５においては、コア部材を省略している。
【図１６】図１５のＸＶＩ−ＸＶＩ線拡大断面図。
【図１７】第９実施形態のルアーであって、図３のＶ−Ｖ線と同様な箇所で切断した拡大断面図。
【発明を実施するための形態】
【００１５】
＜第１実施形態＞
以下、本発明を図面を参照しつつ説明する。
図１乃至図５は、本発明のルアー１を示している。
このルアー１は、内部に中空部２を有するボディ３と、ボディ３の前端部に設けられたラインを連結するための連結部４と、ボディ３に取り付けられた釣り針５１，５２と、を有する。
【００１６】
前記ボディ３は、透光性を有する材料から形成されている。前記ボディ３は、中空状であり、その中空部２は、そのボディ内壁面によって囲われた空間（空洞部分）である。
前記ボディ内壁面は、第１面６１と第２面６２を有する多面体構造となっている。前記第１面６１又は前記第１面６１に対応するボディ外壁面に、多層着色領域７が設けられている。この領域７は、第１着色部７１と、前記第１着色部７１の上に重ねられ且つ前記第１着色部７１とは異なる色彩を呈する第２着色部７２と、を有する。
前記中空部２内には、コア部材８が設けられている。
以下、具体的に説明する。
【００１７】
［ボディの概要］
ボディ３の外形（つまり、ボディ外壁面の全体形状）は、例えば小魚を真似た形状に形成されている。図示例のボディ外壁面の全体形状は、長軸方向に細長く延び且つ小魚を真似た形状に形成されている。前記長軸方向は、ボディ３の前端部と後端部を結んだ線と平行な方向である。長軸方向は、図２のようにルアー１を側面から見た場合、その図面の横方向に相当する。
【００１８】
ボディ外壁面は、全体としてなだらかな曲面状に形成されていてもよいし、全体又は部分的に複数の凹凸部を有する形状に形成されていてもよい。
ボディ外壁面が凹凸部を有する形状に形成される場合、その凹凸形状としては特に限定されない。その凹凸形状としては、例えば、（１）魚の鱗に似せた鱗片状、（２）ボディ外壁面において短軸方向に延びる細長い筋状の突起が、ボディ３の長軸方向に複数条並設された形状、（３）ボディ外壁面において長軸方向に延びる細長い筋状の突起が、ボディ３の短軸方向に複数条並設された形状、などが挙げられる。
前記短軸方向は、前記長軸方向と直交する方向である。短軸方向は、図２のようにルアー１を側面から見た場合、その図面の縦方向に相当する。
【００１９】
ボディ３は、透光性を有する材料を用いて形成されている。
ここで、透光性を有する材料とは、ボディ３の外部からボディ３の内部の色彩を透視できる程度に光が透過する材料をいう。つまり、ボディ３は、無色透明、または、有色透明（半透明）の何れでもよい。
【００２０】
ボディ３は、好ましくは光線透過率が６０％以上であり、より好ましくは７０％以上であり、特に好ましくは８０％以上である。光線透過率が６０％以上のボディ３であれば、そのボディ３の内部で反射した光をボディ３の外部から良好に視認できる。
ただし、光線透過率は、ＪＩＳ  Ｋ  ７１０５−１９８１（プラスチックの光学的特性試験方法）に準じた方法によって測定した値であり、光線透過率（％）＝（Ｔ２／Ｔ１）×１００、で求められる。ただし、前記Ｔ２は、全光線透過量（試験片を通過した全光量）を表し、前記Ｔ１は、入射光量を表す。
【００２１】
ボディ３の形成材料は特に限定されず、ＡＢＳ樹脂、ウレタン系樹脂、アクリル系樹脂、ポリプロピレンなどのオレフィン系樹脂、及び２種以上の合成樹脂の混合物などを例示できる。
【００２２】
図６は、ボディを分解した斜視図である。
中空部２を有するボディ３は、通常、図６に示すような所定厚みの成形体からなる一対の分割体３１，３２を、接着剤などで接合することによって構成されている。
前記一対の分割体３１，３２は、対称的な形状に形成されている。前記一対の分割体３１，３２は、合成樹脂を公知の成形法（例えば射出成形など）で成形することによって得ることができる。
ボディ３の肉厚（分割体３１，３２の厚み）は、ボディ３の耐久性を考慮して適宜設定されるが、通常、０．５ｍｍ〜５．０ｍｍ程度であり、好ましくは０．５ｍｍ〜３．０ｍｍｍｍ程度であり、より好ましくは０．８ｍｍ〜２．５ｍｍ程度である。
【００２３】
［ボディの内壁面の構造について］
前記ボディ３の中空部２を形成するボディ内壁面は、ボディ３の長軸回りに複数の平面が連設された多面体構造とされている。
前記ボディ内壁面の形状は、全体に亘って同じ多面体構造（例えば、六面体構造など）でもよいし、又は、異なる多面体の組み合わせからなる構造でもよい。
図示例のボディ内壁面の形状は、長軸方向において多面体構造が異なっている（異なる多面体の組み合わせからなる）。
【００２４】
具体的には、本実施形態のボディ内壁面の形状は、例えば、四面体、六面体及び八面体が組み合わされた構造からなる。
ボディ内壁面は、その長軸方向中央部において、第１面６１、第２面６２、第３面６３、第４面６４、第５面６５及び第６面６６が長軸回りに順に連設された六面体構造部を有する（図３及び図４参照）。
【００２５】
さらに、ボディ内壁面は、その長軸方向中央部よりも前方側及び後方側において、第１面６１、第２面６２、第７面６７、第３面６３、第４面６４、第５面６５、第８面６８及び第６面６６が長軸回りに順に連設された八面体構造部をそれぞれ有する（図３及び図５参照）。つまり、前記２つの八面体構造部は、前記第１面６１乃至第６面６６に加えて、前記第２面６２と第３面６３の間に第７面６７が介在し且つ前記第５面６５と第６面６６の間に第８面６８が介在している。
【００２６】
また、ボディ内壁面は、その前端部近傍及び後端部近傍において、前記第１面６１、第７面６７、第４面６４、及び第８面６８が長軸回りに順に連設された四面体構造部をそれぞれ有する。
従って、ボディ内壁面は、その前端部から後端部に向かって、１つの四面体構造部、１つの八面体構造部、１つの六面体構造部、他の八面体構造部及び他の四面体構造部が順に組み合わされて構成されている。
【００２７】
かかるボディ内壁面を有するボディ３を、その長軸方向における異なる２箇所で、長軸方向と直交する平面にて切断したとき、前記１つの箇所（六面体構造部）で切断した前記ボディ内壁面の断面形状は、図４に示すように六角形であり、前記他の１つの箇所（八面体構造部）で切断した前記ボディ内壁面の断面形状は、図５に示すように八角形である。
【００２８】
前記第１面６１乃至第８面６８は、何れも平坦状である。この平坦状は、平面という意味ではなく、前記第１面６１乃至第８面６８がざらざらとした凹凸状ではないという意味である。前記第１面６１乃至第８面６８は、何れも、好ましくはボディ外壁面と同様な曲面で且つ平坦状である。
前記第１面６１は、ボディ３の背中部に配置されている。
前記第４面６４は、ボディ３の腹部に配置されている。従って、第４面６４と第１面６１とは、上下に対向している。
【００２９】
前記第２面６２の一方縁は、第１面６１の一方縁に繋がっており、従って、第１面６１と第２面６２は連設されている。第１面６１と第２面６２の成す角度は、特に限定されないが、好ましくは鈍角であり、より好ましくは９０度を超え１３５度以下であり、さらに好ましくは９３度以上１３０度以下であり、特に好ましくは９５度以上１２５度以下である。
【００３０】
前記第６面６６の一方縁は、第１面６１の他方縁に繋がっており、従って、第１面６１と第６面６６は連設されている。本実施形態のボディ３は、対称的な形状の一対の分割体３１，３２からなるので、前記第２面６２と第６面６６は対称的である。従って、第１面６１と第６面６６の成す角度は、前記第１面６１と第２面６２の成す角度と同様である。
第２面６２及び第６面６６は、ルアー１の側面方向から見た形状が、長軸方向に拡がる逆三角形状とされている（図３及び図６参照）。
【００３１】
ボディ３の六面体構造部においては、前記第３面６３の一方縁は、第２面６２の他方縁に繋がっており、第２面６２と第３面６３は連設されている。前記第３面６３の他方縁は、第４面６４の一方縁に繋がっており、第３面６３と第４面６４は連設されている。
前記第３面６３と第５面６５は対称的である。従って、前記第５面６５の一方縁は、第６面６６の他方縁に繋がっており、第５面６５と第６面６６は連設されている。前記第５面６５の他方縁は、第４面６４の他方縁に繋がっており、第３面６３と第４面６４は連設されている。
第３面６３及び第５面６５は、ルアー１の側面方向から見た形状が、長軸方向に拡がる三角形状とされている（図３及び図６参照）。
【００３２】
ボディ３の八面体構造部においては、前記第２面６２と第３面６３の間に第７面６７が介在され、且つ前記第５面６５と第６面６６の間に第８面６８が介在されている。
上述のように、第２面６２及び第６面６６は、側面視逆三角形状で長軸方向に延びており、第３面６３及び第５面６５は、側面視三角形状で長軸方向に延びている。従って、六面体構造部を基準にして、ルアー１の前方側及び後方側に向かうに従って、第２面６２と第３面６３は上下に離れていき、同様に、第６面６６と第５面６５も上下に離れていく。これら両面がそれぞれ離れていく間に、第７面６７及び第８面６８が介在されている。
なお、ボディ３の前端部近傍及び後端部近傍においては、第２面６２、第３面６３、第５面６５、及び第６面６６がなくなっている。これらの近傍におけるボディ内壁面は、第１面６１、第７面６７、第４面６４、及び第８面６８からなる四面体構造である。
【００３３】
ボディ内壁面は、上述のように、その長軸方向中央部に六面体構造部を有し、その六面体構造部よりもルアー１の前方側及び後方側に、それぞれ八面体構造部を有する。
このため、前記第７面６７は、ルアー１の前端部から長軸方向中央部に向かうに従って次第に細くなり（面積が小さくなり）、ルアー１の長軸方向中央部において消失し（つまり、六面体構造部において消失し）、その長軸方向中央部から後端部に向かうに従って次第に太くなっている（面積が大きくなっている）。
同様に、前記第８面６８は、ルアー１の前端部から長軸方向中央部に向かうに従って次第に細くなり（面積が小さくなり）、ルアー１の長軸方向中央部において消失し（つまり、六面体構造部において消失し）、その長軸方向中央部から後端部に向かうに従って次第に太くなっている（面積が大きくなっている）。
【００３４】
［着色領域について］
前記ボディ３は、着色されている。
例えば、前記第１面６１に対応するボディ外壁面には、所望の色彩を呈する第１着色部７１が設けられており、その第１着色部７１を覆うように、第１着色部７１の上に第２着色部７２が設けられている。前記第２着色部７２は、第１着色部７１とは異なる色彩を呈する。前記第１着色部７１及び第２着色部７２が設けられた領域が、多層着色領域７である。
【００３５】
図示例では、前記多層着色領域７は、第１面６１の全体に対応するボディ外壁面だけでなく、第２面６２の一部及び第６面６６の一部にそれぞれ対応するボディ外壁面にも及んで設けられている。本発明のルアー１においては、前記多層着色領域７が第２面６２の一部及び第６面６６の一部にまではみ出していてもよい。前記多層着色領域７が第２面６２の全体及び第６面６６の全体にそれぞれ対応するボディ外壁面に設けられていなければ、本発明の効果を確実に奏する。
【００３６】
前記第１着色部７１及び第２着色部７２は、互いに異なって見える（すなわち、視覚上、同一でない）ことを条件として、その色彩は特に限定されない。第１着色部７１及び第２着色部７２は、それぞれ、赤、青、黄、銀などの単一色、２種以上の色からなる色模様、透明などの各種の色彩から適宜選択すればよい。例えば、第１着色部７１を赤色とし且つ第２着色部７２を青色と黄色の斑模様に着色してもよい。例えば、第１着色部７１を銀色とし且つ第２着色部７２を白色としてもよい。
また、第２着色部７２を、２色以上の色彩を用いて縞模様が現れるようにしてもよい。
【００３７】
第１着色部７１及び第２着色部７２は、塗潰しのように面状に設けられていてもよいし、或いは、複数の点状に設けられていてもよい。
第１着色部７１及び第２着色部７２の形成方法は特に限定されず、例えば、（１）所望の色彩のインキを塗布する、（２）所望の色彩が施されたシート（フィルムを含む）やアルミ箔などの金属箔などを貼付する、などの方法が挙げられる。なお、図４及び図５において、第１着色部７１及び第２着色部７２の厚みを大きく図示しているが、実際の第１及び第２着色部７１，７２は、非常に薄いことに留意されたい。
【００３８】
前記（１）インキを塗布する着色処理の場合、インキを１回塗布することにより第１着色部７１を形成してもよいし、或いは、同一又は異なるインキを２回以上重ね塗りすることによって第１着色部７１を形成してもよい。第２着色部７２についても同様に、インキを１回又は２回以上重塗りすることによって形成してもよい。
前記インキは、パール顔料のような光反射性に優れた微粒子を含んでいてもよい。
なお、必要に応じて、第１着色部７１及び第２着色部７２の上に、ニスなどのコーティング層を塗工してもよい。
【００３９】
本発明は、前記多層着色領域７が設けられていることを条件として、ボディ３のその他の部分（多層着色領域７以外のボディ３）に任意の着色が施されていてもよい。その他の部分が着色されている場合であっても、その着色されたボディ３の光線透過率は、上記のように６０％以上が好ましく、より好ましくは７０％以上であり、特に好ましくは８０％以上である。
【００４０】
［コア部材について］
前記コア部材８は、例えば、細長い板状の部材である。コア部材８は、例えば、厚み０．５ｍｍ〜３ｍｍ程度の合成樹脂製の剛性を有する板から形成できる。もっとも、コア部材８は、前記のような厚みの板から形成される場合に限られず、例えば、紙、合成樹脂製などのシート材などを用いて形成することもできる。
前記コア部材８は、ボディ３の中空部２を、長軸方向に延びる２つの空間に区画するように、前記ボディ３の中空部２内に設けられている。
このコア部材８の一方面８ａ及び他方面８ｂが前記第１面６１及び第４面６４に対して略直交状となるように、コア部材８は、前記中空部２に配置されている。
コア部材８は、図４及び図５に示すように、一対の分割体３１，３２の接合部分に沿って配置されている。
【００４１】
コア部材８は、長軸方向に延びている。コア部材８の上端縁はボディ内壁面の第１面６１に接していることが好ましく、又、コア部材８の下端縁は、ボディ内壁面の第４面６４に接していることが好ましい。なお、一対の分割体３１，３２の上下の接合部分に長軸方向に延びる嵌合凹部をそれぞれ形成し、その各嵌合凹部に前記コア部材８の上縁及び下縁を嵌め込んでもよい。
コア部材８の一方面８ａは、コア部材８の面積の大きい２つの面のうちの１つの面であり、コア部材８の他方面８ｂは、もう１つの面（前記一方面８ａの反対側の面）である。
【００４２】
前記コア部材８の一方面８ａ及び他方面８ｂは、光反射性を有する。
例えば、光反射性を有する材料でコア部材８を形成することにより、一方面８ａ及び他方面８ｂが光反射性を有するコア部材８が得られる。或いは、コア部材８の一方面８ａ及び他方面８ｂに光反射処理を施すことにより、一方面８ａ及び他方面８ｂが光反射性を有するコア部材８が得られる。前記光反射処理としては、（１）コア部材８の一方面８ａ及び他方面８ｂに、光反射塗料を塗布する、（２）コア部材８の一方面８ａ及び他方面８ｂに、光反射シートを貼付する、などの方法が挙げられる。
前記光反射シートとしては、アルミニウムなどの金属箔を積層したシート、プリズム効果により光を虹色に反射するホログラムシート、蛍光色反射シートなどが挙げられる。
本発明のルアー１においては、前記光反射性を有する材料で形成されたコア部材８を用いてもよいし、或いは、前記光反射処理が施されたコア部材８を用いてもよい。
【００４３】
［ルアーのその他の部分について］
上記連結部４は、前記ボディ３の前端部に固着されたリング部材からなる。前記リング部材は、通常、金属製のものが用いられる。
この連結部４は、ラインにルアー１を連結するための部分である。
上記釣り針５１，５２は、例えば、３つの針が一体化されたトレブルフックなどを用いることができる。前記釣り針５１，５２は、前記ボディ３に固着されたリング部材に着脱自在に取り付けられている。
図示例のルアー１は、ボディ３の腹部中央部及びボディ３の後端部に、前記リング部材がそれぞれ設けられている。
【００４４】
上記構成からなるルアー１は、前記連結部４にラインを結び、水中に投入して使用される。本発明のルアー１は、透光性を有するボディ３の外面から見た場合、ボディ外壁面、ボディ内壁面及びコア部材８から反射した様々な光が見える。
本発明のルアー１は、観察者の見る方向によって色彩が変化し得る。この色彩の変化は、色模様の変化を含む意味である。
【００４５】
図７は、上記ルアー１を実際に作製した、本発明の実施品である。この実施品のボディは、透明なＡＢＳ樹脂成形品で形成される。前記実施品の第１着色部は、淡い朱色のインキを塗布することによって形成されている。前記実施品の第２着色部は、パール顔料を含有した白色系のインキの塗布することにより形成されている。
図７（ａ）は、ボディを側面方向から撮影したカラー写真をグレー調に変換した写真図である。つまり、視線がボディの側面に対して略直交する方向となるようにしたときのグレー写真図である。
図７（ｂ）は、前記図７（ａ）の状態よりも、斜め下方からボディを撮影したカラー写真をグレー調に変換した写真図である。
図７（ｃ）は、前記図７（ａ）の状態よりも、斜め上方からボディを撮影したカラー写真をグレー調に変換した写真図である。
【００４６】
各写真図から明らかなように、図７（ａ）の状態では、第１着色部の色彩（実際は淡い朱色であるが、グレー写真図においては、濃色）がボディ内壁面の第６面に対応する領域に現れるが、その他の領域は、前記第１着色部の色彩はほとんど現れない。また、第２着色部の色彩（グレー写真図においては白色に近い）がボディの上方側にうっすらと現れる。なお、同様にして、ボディの反対側の側面方向から見ると、前記第１着色部の色彩がボディ内壁面の第２面に対応する領域に現れる。
図７（ｂ）の状態では、第１着色部の色彩（実際は淡い朱色であるが、グレー写真図においては、濃色）が、ボディ内壁面の第６面に加えて、第１面及び第８面に対応する各領域にも現れる。なお、同様にして、ボディの反対側の側面の斜め下方から見ると、前記第１着色部の色彩が、ボディ内壁面の第２面に加えて、第１面及び第７面に対応する各領域にも現れる。
図７（ｃ）の状態では、前記第１着色部の色彩が消失し、前記第２着色部の色彩（グレー写真図においては白色に近い）のみが現れるようになる。なお、同様にして、ボディの反対側の側面の斜め上方から見ても、前記第２着色部の色彩のみが現れる。
【００４７】
このように本発明のルアー１は、見る方向によって色彩が変化する。さらに、本発明のルアー１の構造によれば、従来のルアーに比べて、第１着色部７１や第２着色部７２を簡単に形成できる。
【００４８】
図８は、本発明のルアー１が見る方向によって色彩が変化するメカニズムを説明するための参考図である。ただし、このメカニズムは、本発明者らの推定である。
図８において、光の進行方向を矢印付き太線で示している。
図８（ａ）は、図７（ａ）の状態に対応している。第１着色部７１で反射した又は第１着色部７１を透過した光Ａは、ボディ内壁面の第６面６６（又は第２面６２）で反射して、ボディ外壁面から外部に出射する。それ故、図７（ａ）のように、前記第１着色部７１の色彩がボディ内壁面の第６面６６（又は第２面６２）に対応する領域に現れる。また、コア部材８で反射した光Ｂは、そのままボディ外壁面から外部に出射する。この光Ｂは、コア部材８の反射光であるため、第１着色部７１の色彩とは異なる。
【００４９】
図８（ｂ）は、図７（ｂ）の状態に対応している。第１着色部７１で反射した又は第１着色部７１を透過した光Ａ，Ａ’は、ボディ内壁面の第６面６６（又は第２面６２）及びコア部材８で反射して、ボディ外壁面から外部に出射する。それ故、図７（ｂ）のように、第１着色部７１の色彩がボディ内壁面の第６面６６（又は第２面６２）及び第８面６８（又は第７面６７）に対応した各領域に現れる。また、コア部材８で反射した光の一部Ｂ’は、そのままボディ外壁面から外部に出射する。
【００５０】
図８（ｃ）は、図７（ｃ）の状態に対応している。第１着色部７１で反射した又は第１着色部７１を透過した光は、ボディ外壁面から外部にほとんど出射しない。コア部材８で反射した光Ｂ”は、そのままボディ外壁面から外部に出射する。また、第２着色部７２で光Ｃが反射する。それ故、図７（ｃ）のように、第１着色部の色彩が消失し、第２着色部の色彩のみが現れるようになる。
【００５１】
本発明のルアーは、上記第１実施形態に限られず、本発明の意図する範囲で様々な態様に変更できる。以下、本発明の他の実施形態を説明するが、上記第１実施形態と異なる部分について主として説明し、上記第１実施形態と同様の構成は、その説明を省略し、用語及び図番をそのまま援用する場合がある。
【００５２】
＜第２実施形態＞
第２実施形態のルアー１２は、中空部２内に錘９が設けられている点で、上記第１実施形態のルアー１と異なる。
具体的には、図９及び図１０に示すように、ボディ３の中空部２内の下部に、錘９が設けられている。この錘９は、ボディ３の長軸方向中央部に設けられている。もっとも、前記錘９は、ボディ３の前方側又は後方側に設けてもよい。
この錘９の収容スペースを形成するために、ボディ３の中空部２には、一対の区画壁９１，９２が突設されている。例えば、一方の区画壁９１は、第３面６３から内側に向かって突設され、且つ、他方の区画壁９２は、第５面６５から内側に向かって突設されている。この一対の区画壁９１，９２と第４面６４で囲われた内部に、錘９が収納されている。
【００５３】
なお、第２実施形態のルアー１２において、中空部２に設けられたコア部材８の上縁及び下縁は、一対の分割体３１，３２の上下の接合部分に形成された嵌合凹部にそれぞれ嵌め込まれている。
第２実施形態のルアー１２も、上記第１実施形態のルアー１と同様に、見る方向によって色彩が変化する。
【００５４】
＜第３実施形態＞
上記第１実施形態においては、多層着色領域７が、第１面６１に対応するボディ外壁面に設けられているが、これに代えて、多層着色領域７が、ボディ内壁面の第１面６１に設けられていてもよい。
具体的には、図１１及び図１２に示すように、第３実施形態のルアー１３は、ボディ外壁面に多層着色領域７が設けられていない。しかし、ボディ内壁面の第１面６１に第２着色部７２と第１着色部７１を有する多層着色領域７が設けられている。多層着色領域７が第１面６１に設けられる場合、図示したように、第１着色部７１の上に第２着色部７２が重ねられる。
【００５５】
＜第４実施形態＞
上記第１実施形態においては、ボディ内壁面は六面体構造部と八面体構造部を有するが、ボディ内壁面が、六面体構造部のみ又は八面体構造部のみから構成されていてもよい。
図１３は、ボディ内壁面が六面体構造部のみから構成された、第４実施形態のルアー１４の縦断面図である。なお、本明細書において、縦断面図とは、図１のＩＩＩ−ＩＩＩ線と同じように切断した断面を表した図である。
【００５６】
第４実施形態のルアー１４のボディ内壁面は、第１面６１、第２面６２、第３面６３、第４面６４、第５面及び第６面が長軸回りに順に連設された六面体構造部からなる。このボディ内壁面は、この六面体構造部がボディ３の前方側から後方側に至っている。
また、ボディ内壁面が八面体構造部のみから構成されたルアーは、ボディ３の前方側から後方側に至って、第１面、第２面、第７面、第３面、第４面、第５面、第８面及び第６面が長軸回りに順に連設された八面体構造部を有する。
【００５７】
＜第５実施形態＞
本発明のルアー１のボディ内壁面は、所定角度で連設された第１面６１及び第２面６２（好ましくは、第１面６１、第２面６２及び第６面６６）を有していればよい。好ましくは、第１面６１と第２面６２の成す角度は上述のように鈍角とされる。同様に、好ましくは、第１面６１と第６面６６の成す角度は上述のように鈍角とされる。
【００５８】
また、上記第１実施形態においては、ボディ内壁面の第１面６１は、ボディ３の上方（背部）に配置されているが、ボディ内壁面の第１面６１が、ボディ３の下方（腹部）に配置されていてもよい。ボディ内壁面の第１面６１がボディ３の下方（腹部）に位置する場合には、上記第１実施形態で示した第２面６２などは、その第１面６１に従って上下を逆にして配置変更される。
【００５９】
＜第６実施形態＞
上記第１実施形態においては、第１着色部７１の形成方法として、（１）インキの塗布及び（２）シートの貼付を例示したが、例えば、ボディ３の形成材料に着色剤を配合してボディ３を形成する方法でもよい。
着色剤を配合した形成材料から形成されたボディ３は、それ自体色彩を呈する。このボディ３の色彩が、第１着色部７１となる。従って、そのボディ３における第１面６１に対応するボディ外壁面に、第２着色部７２を設けることにより、本発明のルアー１を構成できる。この場合、別途、第１着色部７１を形成する必要性はなくなり、ボディ３の色彩が第１着色部７１の色彩となる。もっとも、この着色されたボディ３は、上述の透光性を有していなければならない。つまり、光が透過しないほどに着色されたボディ３は、本発明では用いることはできない。
【００６０】
第６実施形態のルアーの場合、それを側面からみると、ボディ３の色彩（第１着色部７１の色彩）と第２着色部７２の色彩が混じった色彩が現れる。そして、そのルアーの見る方向を変化させると、ボディ３の色彩のみが現れたり、或いは、第２着色部７２の色彩のみが現れるようになる。
【００６１】
＜第７実施形態＞
上記第１実施形態においては、第１着色部７１及び第２着色部７２は、塗潰しのような面状に設けられているが、例えば、図１４に示すように、第１着色部７１が複数の点状に設けられ、且つ、第２着色部７２が前記点状の第１着色部７１を覆うような面状に設けられていてもよい。
このように第１着色部７１が点状（スポット的）に設けられていれば、ルアーを上側から見たときには、第１着色部に起因する点状の色彩が現れない。しかし、それを側面から見たときに、第１着色部に起因する点状の色彩が現れるようになる。このように点状の色彩が現れるルアー１（すなわち、斑模様が出現したり消失し得るルアー）は、対象魚の補食を喚起するので好ましい。また、このような点状の色彩は、ボディ３の厚みやコア部材８の反射光などと相乗して、ルアー１により大きな立体感を生じさせる。
【００６２】
＜第８実施形態＞
上記第１実施形態においては、ボディ内壁面の第１面６１乃至第８面６８は、何れも平坦状であるが、例えば、これらの第１面６１乃至第８面６８から選ばれる少なくとも１つの面が、内側又は外側に膨らんだ湾曲面状に形成されていてもよい。
何れかの面が内側又は外側に膨らんだ湾曲面状に形成された第８実施形態に係るルアー１８の一例を、図１５及び図１６に示す。この例のルアー１８は、例えば、ボディ内壁面の第２面６２、第６面６６、第７面６７及び第８面６８が、それぞれ内側に膨らんだ湾曲面状に形成されている。
【００６３】
＜第９実施形態＞
さらに、ボディ内壁面の第１面６１乃至第８面６８から選ばれる少なくとも１つの面が、微細な凹凸状に形成されていてもよい。ボディ内壁面の全部又は一部が微細な凹凸面とされていることにより、その凹凸面に入射した光が乱反射する。このため、ボディ３を側面から見たときに、色彩がぼやけた領域と鮮明に見える領域とが生じ、さらに、変化に富んだルアー１を構成できる。
前記凹凸面の凹凸の高低差は、通常、０．０１ｍｍ〜２ｍｍであり、好ましくは０．１ｍｍ〜１．５ｍｍであり、より好ましくは０．２ｍｍ〜１ｍｍである。
【００６４】
何れかの面が微細な凹凸面に形成されている第９実施形態に係るルアー１９の一例を、図１７に示す。この例のルアー１９は、例えば、ボディ内壁面の第３面６３及び第５面６５が前記微細な凹凸状に形成されている。
このように、前記第１面６１乃至第８面６８の中で、少なくとも第３面６３及び第５面６５が、前記微細な凹凸状に形成されていることが好ましい。少なくとも第３面６３及び第５面６５を凹凸面とすることにより、第１着色部７１で反射された光がコア部材８によって更に反射されて第３面６３及び第５面６５に至り、それらの面６３，６５で乱反射される。このため、第１着色部７１の色彩をぼやかしたような色彩が第３面６３及び第５面６５に対応する各領域で現れるようになる。
【００６５】
＜第１０実施形態＞
上記第１実施形態におけるボディ外壁面に、上記特許文献１（特開２００６−５５０６２）に開示された発明を適用してもよい。
すなわち、上記ボディ外壁面に、特許文献１に開示されたように、複数条の長状突部が並設され、その長状突部の一側面に所望の着色（第１着色部）が施され且つその長状突部の他側面に前記第１着色とは異なる色彩を呈する所望の着色（第２着色部）が施されていてもよい。
【００６６】
＜その他の実施形態＞
上記第１実施形態においては、コア部材８は板状の部材からなるが、コア部材８は光反射性を有していることを条件として、板状の部材に限られない。例えば、コア部材は、表面が光反射性を有し且つ内部にラトルボールが収容されたケース体から構成されていてもよい。
その他、本発明のルアー１は、ボディ３の中空部２内に錘が収納されていてもよいし、或いは、ボディ外壁面の一部分に錘が取り付けられていてもよい。
また、上記ボディ３を、エビなどを真似た形状に形成することにより、本発明のルアー１を烏賊釣り用のルアーとすることもできる。
【符号の説明】
【００６７】
１，１２，１３，１４，１８，１９  ルアー
２  中空部
３  ボディ
４  連結部
５１，５２：釣り針
６１，６２，６３，６４，６５，６６，６７，６８  第１面，第２面，第３面，第４面，第５面，第６面，第７面，第８面
７  多層着色領域
７１  第１着色部
７２  第２着色部
８  コア部材
【図１】
2012153385.tif 000003
【図２】
2012153385.tif 000004
【図３】
2012153385.tif 000005
【図４】
2012153385.tif 000006
【図５】
2012153385.tif 000007
【図６】
2012153385.tif 000008
【図８】
2012153385.tif 000009
【図９】
2012153385.tif 000010
【図１０】
2012153385.tif 000011
【図１１】
2012153385.tif 000012
【図１２】
2012153385.tif 000013
【図１３】
2012153385.tif 000014
【図１４】
2012153385.tif 000015
【図１５】
2012153385.tif 000016
【図１６】
2012153385.tif 000017
【図１７】
2012153385.tif 000018
【図７】
2012153385.tif 000019
【国際調査報告】
2012153385.tif 000020
2012153385.tif 000021
2012153385.tif 000022
2012153385.tif 000023